(57)【要約】      （修正有）【課題】高層ビルの壁面、広告看板或いは天井等に適用されて照明として使用され、光源が発生させる全ての光線が角度を小さく絞られて射出される片側のみの照明光線となり、灯具の消費電力を減らしつつも同じ照明レベルを有することで、省エネ及び二酸化炭素削減の目的を達成させるリフレクター構成を有する投射光学用ランプを提供する。【解決手段】複数のストレート状或いは弧状光反射面２０２ａ〜２０２ｎが連接されることで構成される断面が、最も好ましくはＪ字状或いはＧ字状を呈する螺旋状のリフレクターＡ０１であり、上半部区域に位置される少なくとも１つの光線外反射区及び下半部区域に位置される少なくとも１つの光線内反射区を有する。リフレクターＡ０１は、光源２０３の直射光線が特定の照明標的物に照射される最大角度を制限する。光源２０３の残りの光線は、リフレクターＡ０１を経て特定の照明標的物の範囲内に反射される。【選択図】図２Ｂ
2016143667.tif 000002
【特許請求の範囲】
【請求項１】
投射光線を発生させる少なくとも１つの光源と、
内表面は光反射面であり、異なる傾斜角度を有するストレート状光反射面が連接されることで構成され、内反射区及び少なくとも１つの外反射区を有し、且つ前記光源は前記内反射区の内部に設置され、少なくとも１つの外反射区はそれの上半部に位置され、前記光源により投射される光線が少なくとも１つの標的物の範囲内に１回反射され、内反射区はそれの下半部に位置され、且つ前記光源により投射される光線が前記内反射区を経て前記リフレクターの上半部の外反射区に少なくとも１回反射され、上半部の外反射区から少なくとも１つの標的物の範囲内に少なくとも１回反射される少なくとも１つのリフレクターとを少なくとも備えることを特徴とするリフレクター構成を有する投射光学用ランプ。
【請求項２】
前記リフレクターの各ストレート状光反射面と前記光源の中心との距離は、リフレクターの底端のストレート状光反射面からリフレクターの上端のストレート状光反射面に向けて徐々に距離が延びてゆくことを特徴とする、請求項１に記載のリフレクター構成を有する投射光学用ランプ。
【請求項３】
前記リフレクターは少なくとも２つの部材構造が構設されることで構成され、各部材は異なる傾斜角度の複数のストレート状光反射面を有することを特徴とする、請求項１に記載のリフレクター構成を有する投射光学用ランプ。  
【請求項４】
前記リフレクターは外反射区と内反射区との間に幅が広いストレート状光反射面を有し、且つ前記少なくとも１つのＬＥＤ光源が前記ストレート状光反射面に装設され、前記リフレクターの外表面には複数のフィン状突起物が成型されることを特徴とする、請求項１に記載のリフレクター構成を有する投射光学用ランプ。
【請求項５】
前記リフレクターの内部には少なくとも１つのクランプが装設されることを特徴とする、請求項１に記載のリフレクター構成を有する投射光学用ランプ。
【請求項６】
前記リフレクターの底端はリフレクターの外側辺に向けて少なくとも１つのストレート状光反射面が延伸され、前記リフレクターの第二外反射区として設けられることを特徴とする、請求項１に記載のリフレクター構成を有する投射光学用ランプ。
【請求項７】
前記リフレクターの異なる傾斜角度を有するストレート状光反射面が連接されることで構成される断面はＪ字形状であることを特徴とする、請求項１に記載のリフレクター構成を有する投射光学用ランプ。
【請求項８】
前記リフレクターの異なる傾斜角度を有するストレート状光反射面が連接されることで構成される断面はＧ字形状であることを特徴とする、請求項１に記載のリフレクター構成を有する投射光学用ランプ。
【請求項９】
前記リフレクターの内表面には内表面に突出される少なくとも２つの位置決め構成が設けられることを特徴とする、請求項１に記載のリフレクター構成を有する投射光学用ランプ。
【請求項１０】
前記リフレクターの二端面には少なくとも１つの位置決め構成が設けられることを特徴とする、請求項１に記載のリフレクター構成を有する投射光学用ランプ。
【請求項１１】
前記リフレクターを構成させる複数のストレート状光反射面はリフレクターの上端から底端に向けて長さが徐々に短くなることを特徴とする、請求項１に記載のリフレクター構成を有する投射光学用ランプ。
【請求項１２】
前記リフレクターは少なくとも２つの部材構造が構設されることで構成され、各部材は異なる傾斜角度の複数のストレート状光反射面を有することを特徴とする、請求項１１に記載のリフレクター構成を有する投射光学用ランプ。
【請求項１３】
前記リフレクターの下方には第二リフレクターがさらに設置され、前記第二リフレクターは底部光反射面が二側辺の凸曲面光反射面に連接されることで構成される断面はＵ字形状を呈するリフレクターであり、前記底部光反射面は平面であり、前記二側辺の凸曲面光反射面は異なる傾斜角度及び湾曲度を有する複数の曲面が連接されることで各々構成されることを特徴とする、請求項１に記載のリフレクター構成を有する投射光学用ランプ。
【請求項１４】
前記第二リフレクターの二側辺の凸曲面光反射面の前端には切り目が各々欠成されることを特徴とする、請求項１３に記載のリフレクター構成を有する投射光学用ランプ。
【請求項１５】
前記第二リフレクターは少なくとも２つの部材構造が構設されることで構成されることを特徴とする、請求項１３に記載のリフレクター構成を有する投射光学用ランプ。
【請求項１６】
前記リフレクターの下方には第二リフレクターがさらに設置され、前記第二リフレクターは底部光反射面が二側辺の凸曲面光反射面に連接されることで構成される断面はＵ字形状を呈するリフレクターであり、前記底部光反射面は中間の弧状光反射面の周辺が平面状光反射面に連接されることで構成され、前記二側辺の凸曲面光反射面は異なる傾斜角度及び湾曲度を有する複数の曲面が連接されることで各々構成されることを特徴とする、請求項１１に記載のリフレクター構成を有する投射光学用ランプ。
【請求項１７】
前記第二リフレクターの二側辺の凸曲面光反射面の前端には切り目が各々欠成されることを特徴とする、請求項１６に記載のリフレクター構成を有する投射光学用ランプ。
【請求項１８】
前記第二リフレクターは少なくとも２つの部材構造が構設されることで構成されることを特徴とする、請求項１６に記載のリフレクター構成を有する投射光学用ランプ。
【請求項１９】
投射光線を発生させる少なくとも１つの光源と、
内表面は光反射面であり、少なくとも２つの部材が構設されることで構成される断面はＪ字形状であり、前記各部材は異なる傾斜角度を有する複数の円弧状光反射面が連接されることで構成され、それを構成させる複数の円弧状光反射面と前記光源の中心との距離は、それの底端から上端に向けて徐々に距離が延びてゆき、内反射区及び少なくとも１つの外反射区を有し、且つ前記光源は前記内反射区の内部に設置され、少なくとも１つの外反射区はそれの上半部に位置され、前記光源により投射される光線が少なくとも１つの標的物の範囲内に１回反射され、内反射区はそれの下半部に位置され、且つ前記光源により投射される光線が内反射区を経てそれの上半部の外反射区に少なくとも１回反射され、前記上半部の外反射区により少なくとも１つの標的物の範囲内に少なくとも１回反射される少なくとも１つのリフレクターとを少なくとも備えることを特徴とするリフレクター構成を有する投射光学用ランプ。
【請求項２０】
前記リフレクターの内部には少なくとも１つのクランプが設置されることを特徴とする、請求項１に記載のリフレクター構成を有する投射光学用ランプ。
【発明の詳細な説明】
【技術分野】
【０００１】
本発明は、リフレクター構成を有する投射光学用ランプに関し、より詳しくは、特に広告や天井等の投射ランプに使用されるリフレクターの設計により、光源が発生させた光線を所定の照明区域に反射させ、照明区域を制御可能な照明範囲とするリフレクター構成を有する投射光学用ランプに関する。
【背景技術】
【０００２】
一般的な従来の灯具は、光源の周囲にリフレクターが設置され、リフレクターの設計の違いにより、灯具の照明区域に異なる範囲を形成させる。
【０００３】
図１Ａは従来の広告看板の照明に用いられる灯具構成を示す概念図である。弧状リフレクター（１０２）と、その内部表面である光反射面（１０３）と、リフレクターの内部に設置されるランプ（１０４）とを有する。前記灯具が６メートルの高さの広告看板（１０１）の下方の設定位置に設置される場合、光源の直射光線が広告看板の範囲内に実際に照射される有効な照明光線は空白の領域角度（１０５）に限られ、残りの複数の直射光線は上方へ向けられる照射角度（１０６）或いは下方に向けられる照射角度（１０７）の無効な照明光線となる。また、図１Ｂの光反射面（１０３）を経て反射された光線の内の複数の光線も上方に向けられる照射角度（１０９）となり、残りの大部分の反射光線（１０８）は広告看板（１０１）の範囲内に照射されるが、高い比率の照明光線（１１０）は広告看板（１０１）の下半部の局部区域に集中して照射される。
【発明の概要】
【発明が解決しようとする課題】
【０００４】
以上のことから、この種の従来のＣ型リフレクターの灯具が、角度が小さく絞られる照明区域の特殊な場所に運用される場合、照明効率が低い以外の欠点として、広告看板の底部が明るく、上部に近づくほど暗くなるという照度の不均一化現象といった問題があった。そこで、本発明者は上記の欠点が改善可能と考え、鋭意研究した結果、合理的設計で上記の課題を効果的に改善する本発明の提案に到った。
【０００５】
本発明は、以上の従来技術の課題を解決するためになされたものである。換言すれば、本発明の目的は、リフレクター構成を有する投射光学用ランプを提供することである。すなわち、光源から投射される大部分の光線が特定の標的範囲内に照射され、灯具の照明効率を有効的に高めることである。
【０００６】
本発明の他の目的は、灯具の照明の幅及び高さを制御可能範囲にするリフレクター構成を有する投射光学用ランプを提供することである。
【０００７】
本発明のさらなる他の目的は、特定の照明範囲での均一な照明レベルの効果を有するリフレクター構成を有する投射光学用ランプを提供することである。
【課題を解決するための手段】
【０００８】
上述した課題を解決し、上記目的を達成するための本発明による、本発明に係るリフレクター構成を有する投射光学用ランプは、
投射光線を発生させる少なくとも１つの光源と、内表面は光反射面であり、異なる傾斜角度を有するストレート状光反射面が連接されることで構成され、内反射区及び少なくとも１つの外反射区を有し、且つ前記光源は前記内反射区の内部に設置され、少なくとも１つの外反射区はそれの上半部に位置され、前記光源により投射される光線が少なくとも１つの標的物の範囲内に１回反射され、内反射区はそれの下半部に位置され、且つ前記光源により投射される光線が前記内反射区を経て前記リフレクターの上半部の外反射区に少なくとも１回反射され、上半部の外反射区から少なくとも１つの標的物の範囲内に少なくとも１回反射される少なくとも１つのリフレクターとを少なくとも備えることを特徴とする。前記リフレクターの複数のストレート状光反射面が連接されることで構成される異なる湾曲度により、前記光源から直接投射されて標的物に照射される照明の角度の大きさが制限されると共に改変され、これにより、光源から投射される全ての光線が狭く絞られる照明の標的物に対して完全に照射され、特殊な場所での照明効率が高まる。また、リフレクターの複数のストレート状光反射面の傾斜角度及び長さを調整することで、各投射区域に対する光の照度が調整され、均一な照明の効果を達成させる。
【０００９】
本発明の好ましい実施形態では、前記光源はランプ、電球、或いは発光ダイオードである。
【００１０】
本発明の好ましい実施形態では、前記リフレクターの各ストレート状光反射面は底端のストレート状光反射面から前記光源の中心の螺旋経路が連接されて上端のストレート状光反射面まで偏向してゆく。即ち、各ストレート状光反射面と光源の中心との距離はリフレクターの底端のストレート状光反射面から上端のストレート状光反射面に向けて徐々に距離が延びてゆく。
【００１１】
本発明の好ましい実施形態では、前記リフレクターを構成させる複数のストレート状光反射面は同じ長さであるか、長さが延びてゆくか、或いは長さが縮んでゆく。
【００１２】
本発明の好ましい実施形態では、前記リフレクターは一体成型されるか、或いは個別に成型される少なくとも２つの部材が構設されることで構成される。
【００１３】
本発明の好ましい実施形態では、前記リフレクターの内表面には内表面に突出される少なくとも２つの凹部位置決め構成が設けられ、前記リフレクターの二端面には少なくとも１つの穿孔位置決め構成が設けられる。
【００１４】
本発明の他の好ましい実施形態では、前記リフレクターの下方には第二リフレクターがさらに設置され、前記第二リフレクターは底部光反射面が二側辺の凸曲面光反射面に連接されて構成される断面はＵ字形状を呈するリフレクターであり、前記第二リフレクターは一体成型されるか、或いは個別に成型される少なくとも２つの部材が構設されることで構成される。前記二側辺の凸曲面光反射面は異なる傾斜角度及び湾曲度を有する複数の曲面が連接されることで各々構成され、前記各曲面は複数の斜面、弧状面或いは斜面及び弧状面が共に連接されることで構成される、対称或いは非対称な構造である。
【００１５】
本発明の他の好ましい実施形態では、前記第二リフレクターの底部光反射面は平面であるか、或いは中間の弧状光反射面の周辺に平面状光反射面が連接されることで構成される。
【００１６】
本発明の他の好ましい実施形態では、前記第二リフレクターの二側辺の凸曲面光反射面の前端には切り目が各々欠成され、光源からの光線を直線的に透過させる。
【００１７】
本発明の他の好ましい実施形態では、前記リフレクターは外反射区と内反射区との間に幅が広いストレート状光反射面を有し、且つ前記光源は前記ストレート状光反射面に設置され、リフレクターの外表面には複数のフィン状突起物が成型されて放熱機能を担う。
【００１８】
本発明の他の好ましい実施形態では、前記リフレクターの内部には少なくとも１つのクランプが設置される。
【００１９】
本発明の他の好ましい実施形態では、前記リフレクターの底端はリフレクターの外側に向けて少なくとも１つのストレート状光反射面が延伸され、前記リフレクターの第二外反射区として設けられ、且つ前記光源により投射される光線及び前記リフレクターの上半部の外反射区により反射された光線は前記リフレクターの第二外反射区を経て少なくとも１つの標的物の範囲内に少なくとも１回反射される。
【００２０】
本発明の他の好ましい実施形態では、前記リフレクターの上端及び底端のストレート状光反射面により前記光源から直接投射されて標的物に照射される最大角度は０度から９０度の範囲内に制限される。
【００２１】
本発明の他の好ましい実施形態では、前記リフレクターの異なる傾斜角度を有するストレート状光反射面が連接されることで構成される湾曲度の小さい断面はＪ字形状を呈する。
【００２２】
本発明の他の好ましい実施形態では、前記リフレクターの異なる傾斜角度を有するストレート状光反射面が連接されることで構成される湾曲度の大きい断面はＧ字形状を呈する。
【００２３】
また、上述した課題を解決するために、好ましい実施形態では、本発明に係るリフレクター構成を有する投射光学用ランプは、投射光線を発生させる少なくとも１つの光源と、内表面は光反射面であり、少なくとも２つの部材が構設されることで構成される断面はＪ字形状であり、前記各部材は異なる傾斜角度を有する複数の円弧状光反射面が連接されることで構成され、それを構成させる複数の円弧状光反射面と前記光源の中心との距離は、それの底端から上端に向けて徐々に距離が延びてゆき、内反射区及び少なくとも１つの外反射区を有し、且つ前記光源は前記内反射区の内部に設置され、少なくとも１つの外反射区はそれの上半部に位置され、前記光源により投射される光線が少なくとも１つの標的物の範囲内に１回反射され、内反射区はそれの下半部に位置され、且つ前記光源により投射される光線が内反射区を経てそれの上半部の外反射区に少なくとも１回反射され、前記上半部の外反射区により少なくとも１つの標的物の範囲内に少なくとも１回反射される少なくとも１つのリフレクターとを少なくとも備えることを特徴とする。
【発明の効果】
【００２４】
本発明によれば、前記灯具は特に広告看板或いは天井に投射される照明等の場所に適用され、且つ前記光源が発生させる全ての光線の出射角度が小さく絞られた、照明効率を有する光線となり、特殊な照明範囲の予期する効果を達成させる。
【図面の簡単な説明】
【００２５】
【図１Ａ】従来のリフレクターを示す概念図である。
【図１Ｂ】従来のリフレクターを示す概念図である。
【図２Ａ】本発明の第１実施形態によるリフレクターを示す概念図である。
【図２Ｂ】本発明の第１実施形態によるリフレクターを示す概念図である。
【図３Ａ】本発明の第１実施形態によるリフレクターの反射光線を示す概念図である。
【図３Ｂ】本発明の第１実施形態によるリフレクターの反射光線を示す概念図である。
【図４Ａ】本発明の一実施形態によるリフレクターが灯具に適用される概略図である。
【図４Ｂ】本発明の一実施形態によるリフレクターが灯具に適用される概略図である。
【図５Ａ】本発明の第２実施形態によるリフレクターを示す概念図である。
【図５Ｂ】本発明の第３実施形態によるリフレクターを示す概念図である。
【図６Ａ】本発明の第４実施形態によるリフレクター構成及び反射光線図である。
【図６Ｂ】本発明の第４実施形態によるリフレクター構成及び反射光線図である。
【図７】本発明の第５実施形態によるリフレクターを示す概念図である。
【図８Ａ】本発明の第６実施形態によるリフレクターを示す概念図である。
【図８Ｂ】本発明の第７実施形態によるリフレクターを示す概念図である。
【図９Ａ】本発明の他の実施形態によるリフレクターが灯具に適用される概略図である。
【図９Ｂ】本発明の他の実施形態によるリフレクターが灯具に適用される概略図である。
【図１０Ａ】本発明の第８実施形態によるリフレクターを示す概念図である。
【図１０Ｂ】本発明の第８実施形態によるリフレクターを示す概念図である。
【図１１】本発明の他の実施形態によるリフレクターが灯具に適用される概略図である。
【図１２Ａ】本発明の第１実施形態による第２リフレクターを示す概念図である。
【図１２Ｂ】本発明の第１実施形態による第２リフレクターを示す概念図である。
【図１３Ａ】本発明の第２実施形態による第２リフレクターを示す概念図である。
【図１３Ｂ】本発明の第２実施形態による第２リフレクターを示す概念図である。
【図１４Ａ】本発明の第３実施形態による第２リフレクターを示す概念図である。
【図１４Ｂ】本発明の第４実施形態による第２リフレクターを示す概念図である。
【図１４Ｃ】本発明の第５実施形態による第２リフレクターを示す概念図である。
【図１５Ａ】本発明の第９実施形態によるリフレクターを示す概念図である。
【図１５Ｂ】本発明の第９実施形態によるリフレクターを示す概念図である。
【図１６Ａ】本発明の第１０実施形態によるリフレクターを示す概念図である。
【図１６Ｂ】本発明の第１１実施形態によるリフレクターを示す概念図である。
【発明を実施するための形態】
【００２６】
以下に図面を参照して、本発明を実施するための形態について、詳細に説明する。なお、本発明は、以下に説明する実施形態に限定されるものではない。
【００２７】
第１実施形態
図２Ａ及び図２Ｂは本発明の第１実施形態によるリフレクター構成を有する投射光学用ランプを示す概念図である。リフレクター（Ａ０１）の内表面は光反射面であり、異なる傾斜角度を有するストレート状光反射面（２０２ａ）（２０２ｂ）（２０２ｃ）〜（２０２ｚ）が連接されることで構成される湾曲度が小さい断面はＪ字状に近似する螺旋状のリフレクターである。リフレクターの上半部は上端のストレート状光反射面（２０２ａ）からストレート状光反射面（２０２ｍ）まで光線の外反射区として設けられ、リフレクター（Ａ０１）の下半部はストレート状光反射面（２０２ｎ）から底端のストレート状光反射面（２０２ｚ）まで光線の内反射区として設けられる。光源（２０３）は前記内反射区の内部のストレート状光反射面（２０２ｚ）に接近される位置に装設され、各ストレート状光反射面と光源（２０３）の中心との距離はリフレクター（Ａ０１）の底端から上端に向けて徐々に距離が延びてゆく。図によると、上端のストレート状光反射面（２０２ａ）と光源（２０３）の中心との距離は点線（２０２ａａ）が最長であり、次に点線（２０２ｇａ）、点線（２０２ｋａ）の順になり、底端のストレート状光反射面（２０２ｚ）と光源（２０３）の中心との距離の点線（２０２ｚａ）が最短となる。これは、リフレクター（Ａ０１）を構成させる複数のストレート状光反射面の構造はリフレクターの底端から光源の中心の螺旋経路が連接されてリフレクターの上端まで偏向してゆくことを示す。この実施形態では、異なる傾斜角度の各ストレート状光反射面は同じ長さになり、前記リフレクターの実施形態は、特に蛍光灯等の棒状光源或いは複数のＬＥＤで構成される光源の光線の反射用途に適用される。
【００２８】
図３Ａ及び図３Ｂは本発明に係る投射用灯具のリフレクター（Ａ０１）の構造の複数のストレート状光反射面が、反射光線を広告看板に照射させる経路図を示す。まず、図３Ａを参照すると、リフレクター（Ａ０１）の下半部の内反射区の内部には光源（２０３）が設置され、内反射区のストレート状光反射面（２０２ｚ）により光源から直接投射される最大仰角の照射光線（３０３）が広告看板（３０１）の最上端に照射されるように制御され、リフレクター（Ａ０１）の上半部の外反射区のストレート状光反射面（２０２ａ）により光源から直接投射される最小仰角の照射光線（３０２）が広告看板（３０１）の最底端に照射されるように制御される。リフレクター（Ａ０１）により光源から直接照射される光線が共に広告看板の範囲内に照射されるように制御され、広告看板に直接照射されない光源の他の光線の内の一部はリフレクター（Ａ０１）のストレート状光反射面（２０２ａ）から（２０２ｍ）外反射区に投射される複数の光線（３０４）であり、広告看板の所定の照明位置に１回反射される。なお、図３Ｂを参照し、リフレクター（Ａ０１）のストレート状光反射面（２０２ｎ）（２０２ｚ）から内反射区に投射される一部の複数の光線（３０６）は光線の外反射区に１回反射され、外反射区のストレート状光反射面により１回反射されて広告看板の範囲内に照射される。図から分かるように、光源から発生する全ての光線は最終的に広告看板（３０１）の範囲の最上端から最底端の正面の視野角内に照射され、このため、リフレクターの複数のストレート状光反射面の反射角度を適度に調整させるのみで、各投射区域に必要な光の照度の調整が行われ、均一な照明の効果を達成させる。
【００２９】
図４Ａ及び図４Ｂは本発明に係るリフレクター構成を有する投射光学用ランプが軽量鋼フレームのライトパネル或いは天井のシーリングライト等の間接照明用灯具に運用される実施概念図である。灯具（Ｃ０１）はダストカバー（４０１）を有し、ダストカバー（４０１）の上部の内側には光線の反射表面（４０２）が設けられ、少なくとも二側辺の内側には同じリフレクター（Ａ０１）が各々装設され、リフレクター（Ａ０１）の内反射区の内部には光源（４０３）（４０４）が各々設置され、リフレクター（Ａ０１）の上半部の光線の外反射区の複数のストレート状光反射面が光源により投射される複数の光線（４０５）をダストカバー（４０１）の上部の内側の光線の反射表面（４０２）に１回反射させた後に下方の照明区域に反射させ、光源が内反射区に投射させる複数の光線（４０６）はリフレクター（Ａ０１）を経て２回反射された後に光線の反射表面（４０２）に照射されて下方の照明区域に反射される。本発明に係るリフレクターが設置される特殊な間接照明用灯具は、光源が発生させる全ての光線を最終的に下方の所定の照明区域に照射させる。
【００３０】
第２及び第３実施形態
図５Ａは本発明の第２実施形態によるリフレクター構成を有する投射光学用ランプを示す概念図であり、図５Ｂは本発明の第３実施形態によるリフレクター構成を有する投射光学用ランプを示す概念図である。図５Ａのリフレクター（Ａ０２）構成の構造は図２のリフレクター（Ａ０１）の構造と同じであり、差異は、前記リフレクターの複数のストレート状光反射面に上半部区域が長く下半部区域に近付くほど短くなる長さの漸減状が欠成され、リフレクター（Ａ０２）の二側辺に欠成されるストレート状光反射面区域（５０２）（５０３）は対称な部分であり、リフレクター（Ａ０２）は中心線（５０１）（光源が装設される発光の中心点の垂直線を指す）を基準とする二側辺のストレート状光反射面が同じ長さとなる点である。図５Ｂのリフレクター（Ａ０３）構成の構造は図２のリフレクター（Ａ０１）構造と同じであり、差異は、前記リフレクターの複数のストレート状光反射面に上半部区域が長く下半部区域に近付くほど短くなる長さの漸減状が欠成され、リフレクター（Ａ０３）の二側辺に欠成されるストレート状光反射面区域（５０４）（５０５）は対称にならない部分であり、リフレクター（Ａ０３）は中心線（５０６）（光源が装設される発光の中心点の垂直線を指す）を基準とする二側辺のストレート状光反射面は長さが異なる点である。前記２つのリフレクターは特にＨＩＤランプ或いは単一の高出力ＬＥＤ等の短管型光源の光線の反射用途に適用され、異なる幅の区域にそれぞれ適用され、例えば、リフレクター（Ａ０２）は光源により投射される光線を反射させて幅が対称な照明区域に照射させ、リフレクター（Ａ０３）は光源により投射される光線を反射させて幅が非対称な照明区域に照射させる。
【００３１】
第４実施形態
図６Ａ及び図６Ｂは本発明の第４実施形態によるリフレクター構成を有する投射光学用ランプを示す概念図である。リフレクター（Ａ０４）の内表面は光反射面であり、異なる傾斜角度を有するストレート状光反射面（６０２ａ）（６０２ｂ）（６０２ｃ）〜（６０２ｚ）が連接されることで構成される湾曲度が大きい断面はＧ字状に近似する螺旋状のリフレクターである。リフレクター（Ａ０４）の上半部区域は上端のストレート状光反射面（６０２ａ）からストレート状光反射面（６０２ｍ）まで光線の外反射区として設けられ、リフレクターの下半部区域はストレート状光反射面（６０２ｎ）から底端のストレート状光反射面（６０２ｚ）まで光線の内反射区として設けられる。光源（６０１）は内反射区の内部のストレート状光反射面（６０２ｚ）に接近される位置に設置され、リフレクター（Ａ０４）を構成させる複数のストレート状光反射面の構造はリフレクターの底端から光源の中心の螺旋経路が連接されてリフレクターの上端まで偏向してゆく。即ち、各ストレート状光反射面と光源（６０１）の中心との距離は底端のストレート状光反射面（６０２ｚ）から上端のストレート状光反射面（６０２ａ）に向けて徐々に距離が延び、光源（６０１）の縁端及びリフレクター（Ａ０４）の底端の縁端が結ばれる直線の延伸線（６０８）は最終的にストレート状光反射面（６０２ａ）の表面に結ばれ、光源（６０１）が直接投射されて標的物に照射される角度は０度である。即ち、光源（６０１）がリフレクター（Ａ０４）に全て被覆され、投射される全ての光線はリフレクター（Ａ０４）により照明区域に反射される。外反射区に投射される複数の光線（６０３）は照明区域に１回反射され、内反射区に投射される複数の光線（６０４）は外反射区に１回反射された後に照明区域に１回反射され、内反射区に投射される複数の光線（６０５）は外反射区に１回反射された後に外反射区により照明区域に２回反射され、内反射区に投射される複数の光線（６０６）は内反射区により外反射区に２回反射された後に外反射区により照明区域に１回反射され、内反射区の底端に投射される複数の光線（６０７）は内反射区により外反射区に２回反射された後に外反射区により照明区域に２回反射される。螺旋状のリフレクター（Ａ０４）構造は光源（６０１）を全て遮蔽させるが、ただし、光源が投射させる全ての光線の最も多くはリフレクターにより４回反射された後に最終的に照明区域に照射される。従来のＣ型或いは不規則型のリフレクターでは、発光源が全て被覆されると、複数の光線が数十回経由して光線がリフレクターの内部に反射されるため、照明区域の明度が失われ、複数の光線がリフレクターの内部に封鎖されるために照明の標的物に照射されなくなり、照明効率が低下する。  
【００３２】
第５実施形態
図７は本発明の第５実施形態によるリフレクター構成を有する投射光学用ランプを示す概念図である。リフレクター（Ａ０５）構成の構造は図２のリフレクター（Ａ０１）と大方同じであり、差異は、外反射区と内反射区との間に幅が広いストレート状光反射面（７０２）を有すると共に少なくとも１つの発光ダイオードが光源（７０１）として設置され、且つリフレクター（Ａ０５）の外表面には複数のフィン状突起物（７０３）が成型されて放熱機能を担う点である。
【００３３】
第６及び第７実施形態
図８Ａは本発明の第６実施形態によるリフレクター構成を有する投射光学用ランプを示す概念図であり、図８Ｂは本発明の第７実施形態によるリフレクター構成を有する投射光学用ランプを示す概念図である。図８Ａは本発明に係るリフレクター（Ａ０６）の実施形態の１つを図示する。前記リフレクター（Ａ０６）構成の構造は図２のリフレクター（Ａ０１）と大方同じであり、差異は、リフレクター（Ａ０６）の底端は外側に向けて少なくとも１つのストレート状光反射面（８０１）が延伸されてリフレクターの第二外反射区として設けられ、光源が直接投射させる光線或いはリフレクターの上半部の外反射区が反射させる光線が第二外反射区により少なくとも１つの標的物の範囲内に少なくとも１回反射される点である。図８Ｂは本発明に係る他のリフレクター（Ａ０７）の実施形態を図示し、前記リフレクター（Ａ０７）は個別に成型される少なくとも２つの部材が結合されることで構成される。前述の複数のリフレクター構造において、リフレクターは少なくとも２つの部材（８０２ａ）（８０２ｂ）に分割されて製造され、複数のストレート状光反射面が連接されて個別の部材が成型され、２つの部材の結合箇所には外側に向けて延伸される少なくとも１つの位置決め構成（８０７）（８０８）を各々有し、且つネジ（８０９）及びナット（８１０）或いはばね等により簡単に開閉できる部材が結合されて１つの完全なリフレクターが構成される。
【００３４】
他の実施形態
図９Ａ及び図９Ｂは本発明の他の実施形態によるリフレクター構成を有する投射光学用ランプを示す概念図である。灯具（Ｃ０２）はリフレクター（Ａ０７）を有し、リフレクター（Ａ０７）の二側辺には側板（９０１ａ）（９０１ｂ）が各々固設され、２つの側板（９０１ａ）（９０１ｂ）の内側には少なくとも１つの光源ソケット（９０２）（９０３）が各々固設される。少なくとも１つの光源（９０４）は２つのソケット（９０２）（９０３）に装設され、２つの側板（９０１ａ）（９０１ｂ）は２つのネジ（９０６）（９０７）及びナット（９０８）（９０９）によりブラケット（９０５）の２つの側辺（９０５ａ）（９０５ｂ）の内側にそれぞれ可動に設置され、リフレクター（Ａ０７）及び光源（９０４）が３６０度回転される構造を構成させ、灯具（Ｃ０２）の照明区域の調整に用いられる。実際の運用では、リフレクター（Ａ０７）にダストカバー（図示せず）が設置されてもよい。
【００３５】
第８実施形態
図１０Ａ及び図１０Ｂは本発明の第８実施形態によるリフレクター構成を有する投射光学用ランプを示す概念図である。リフレクター（Ａ０８）は個別に成型される少なくとも２つの部材（１００１ａ）（１００１ｂ）が結合されることで構成され、且つ部材（１００１ｂ）の内部の二側辺には少なくとも１つのクランプ（１００２）（１００３）が各々設置される。クランプ（１００２）（１００３）によりリフレクター（Ａ０８）が図９の灯具の光源に装設され、リフレクター（Ａ０８）が３６０度回転可能な構造となる。
【００３６】
他の実施形態
図１１は本発明の他の実施形態によるリフレクター構成を有する投射光学用ランプが灯具に適用される概略図である。灯具（Ｃ０３）はダストカバー（１１０２）を有し、内部には図７に示すようなリフレクター（Ａ０５）が設置される。リフレクター（Ａ０５）の内部には少なくとも１つのＬＥＤ光源（１１０３）が装設され、他の第二リフレクター（１１０１）はリフレクター（Ａ０５）の下方に設置される。第二リフレクター（１１０１）は、主に光源が発生させる光線の内のリフレクター（Ａ０５）により標的の照明区域に反射されない光線を照明区域に反射させるために使用され、これにより照明効率を高める。構成の構造は後述する。
【００３７】
図１２Ａ及び図１２Ｂは本発明によるリフレクター構成を有する投射光学用ランプが第２リフレクターに用いられる第１実施形態の構成図である。リフレクター（Ｂ０１）の内表面は光反射面であり、底部（１２０１）が二側辺の凸曲面（１２０２ａ）（１２０２ｂ）に連接されることで構成される断面はＵ字形状を呈するリフレクターであり、前記リフレクター（Ｂ０１）は一体成型或いは個別に成型される少なくとも２つの部材が結合されることで構成される。底部（１２０１）は平面状光反射面であり、一側辺の凸曲面（１２０２ａ）は異なる傾斜角度及び曲度を有する複数の曲面（１２０２ａａ）（１２０２ａｂ）（１２０２ａｃ）〜（１２０２ａｚ）が連接されることで凸曲面が構成され、一側辺の凸曲面（１２０２ｂ）は異なる傾斜角度及び曲度を有する複数の曲面（１２０２ｂａ）（１２０２ｂｂ）（１２０２ｂｃ）〜（１２０２ｂｚ）が連接されることで凸曲面が構成される。本実施形態では、二側辺の凸曲面（１２０２ａ）（１２０２ｂ）が対称な構造を図示し、実際の運用では、各照明の標的の需要に合わせて非対称な構造としてもよく、前記各曲面は、複数の斜面が連接されることで構成されるもの、複数の弧状面が連接されて構成されるもの、或いは複数の斜面及び弧状面が共に連接されることで構成されるものでもよい。
【００３８】
図１３Ａ及び図１３Ｂは本発明によるリフレクター構成を有する投射光学用ランプが第２リフレクターに用いられる第２実施形態の構成図である。リフレクター（Ｂ０２）の内表面は光反射面であり、底部（１３０１）は二側辺の凸曲面（１３０３ａ）（１３０３ｂ）が連接されることで構成される断面がＵ字形状を呈するリフレクターである。前記リフレクター（Ｂ０２）は一体成型或いは個別に成型される少なくとも２つの部材が結合されることで構成され、底部（１３０１）は中間の弧状光反射面（１３０１ｂ）の周辺が平面状光反射面（１３０１ａ）に連接されることで構成される。二側辺の凸曲面（１３０３ａ）（１３０３ｂ）構成の構造は図１２のリフレクター（Ｂ０１）の二側辺の凸曲面（１２０２ａ）（１２０２ｂ）と同じであり、本実施形態では対称な構造で図示するが、実際の運用では各照明の標的の需要に応じて非対称な構造としてもよい。
【００３９】
図１４Ａから図１４Ｃは本発明によるリフレクター構成を有する投射光学用ランプが第２リフレクターに用いられる第３〜５実施形態の構成図である。図１４Ａは、リフレクター（Ｂ０３）の二側辺の凸曲面の前端に不規則な切欠き（１４０１ａ）（１４０１ｂ）が各々欠成されるのを図示し、図１４Ｂは、リフレクター（Ｂ０４）の二側辺の凸曲面の前端にＬ状切り目（１４０２ａ）（１４０２ｂ）が各々欠成されるのを図示し、図１４Ｃは、リフレクター（Ｂ０５）の二側辺の凸曲面の前端に斜めＶ状切り目（１４０３ａ）（１４０３ｂ）が各々欠成されるのを図示する。上述の各種の切り目は、主に様々な照明の標的の幅の違いに対応し、光源の直射光線を透過させると共に照明の標的に直接照射させ、照明の標的に直接照射されない他の光線はリフレクターにより照明の標的に反射される。
【００４０】
第９実施形態
図１５Ａ及び図１５Ｂは本発明の第９実施形態によるリフレクター構成を有する投射光学用ランプを示す概念図であり、リフレクター（Ａ０９）は個別に成型される少なくとも２つの部材（１５０１）（１５０２）が結合されることで円弧状のリフレクターが構成される。各部材は異なる傾斜角度を有する複数の円弧状斜面が連接されることで各々構成され、リフレクター（Ａ０９）の断面はＪ字形状に近似する。この構成の構造は図２Ａと同じであり、差異は、異なる傾斜角度の光反射面が円弧状になり、部材（１５０１）の一端面の内部には少なくとも２つの位置決め構成（１５０４）（１５０５）が設けられ、部材（１５０２）の一端面の内部には少なくとも２つの位置決め構成（１５０６）（１５０７）が設けられて部材（１５０１）の２つの位置決め構成（１５０４）（１５０５）と共に容易に取り外し可能な構成を形成させ、部材（１５０２）の内部には２つのクランプ（１５０９）（１５１０）が設置されて円形のランプの光源（１５１１）或いは複数のＬＥＤ光源の固定に用いられる点である。
【００４１】
第１０及び第１１実施形態
図１６Ａは本発明の第１０実施形態によるリフレクター構成を有する投射光学用ランプを示す概念図であり、図１６Ｂは本発明の第１１実施形態によるリフレクター構成を有する投射光学用ランプを示す概念図である。リフレクター（Ａ１０）は厚さが増加される材料で成型され、その内表面の光反射面構成の構造は図２Ａのリフレクター（Ａ０１）と同じであり、差異は、リフレクター（Ａ１０）の上端及び底端の内側には内表面に突出される凹部位置決め構成（１６０１）（１６０２）が各々増設され、光反射材料（図示せず）の固定に用いられ、リフレクター（Ａ１０）の二端面にはリフレクター（Ａ１０）を固定させるための複数の穿孔位置決め構成（１６０３）（１６０４）（１６０５）、及びリフレクター（Ａ１０）の材料の消耗を減少させる複数の中空構成（１６０６）がさらに設けられる点である。リフレクター（Ａ１１）の大部分の構成の構造は図７のリフレクター（Ａ０５）と同じであり、差異は、リフレクター（Ａ１１）の上端及び底端の内側に内表面に突出される凹部位置決め構成（１６０７）（１６０８）が各々増設され、リフレクター（Ａ１１）の内側には内表面に突出される２つの凹部位置決め構成（１６０９）（１６１０）がさらに設けられ、位置決め構成（１６０７）（１６０９）により光反射材料（図示せず）が固定され、位置決め構成（１６０８）（１６１０）により他の光反射材料（図示せず）が固定され、リフレクター（Ａ１１）の二端面にはリフレクター（Ａ１１）を固定させるための複数の穿孔位置決め構成（１６１１）（１６１２）がさらに設けられる点である。
【００４２】
また、上述の複数のリフレクターの実施例図において、前記リフレクターの複数のストレート状光反射面及び第二リフレクターの二側辺の凸曲面の各曲面は図の説明を分かりやすくするために拡大して表示しており、実際の運用では、微小な複数のストレート状光反射面及び曲面により曲線に近いリフレクターの内側光反射面が構成され、前記リフレクターの内側表面は電気めっき、反射塗料の塗布、或いは光反射材料の設置等の方式により反射効率が高められる。
【００４３】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００４４】
（１０２）  弧状リフレクター
（１０３）  光反射面
（１０４）  ランプ
（１０５）  領域角度
（１０６）（１０７）（１０９）  照射角度
（１１０）  照明光線
（１０１）  広告看板
（１０８）  反射光線
（Ａ０１）  リフレクター
（２０２ａ）（２０２ｂ）（２０２ｃ）〜（２０２ｚ）（２０２ｍ）（２０２ｎ）  ストレート状光反射面
（２０３）  光源
（２０２ａａ）（２０２ｇａ）（２０２ｋａ）（２０２ｚａ）  点線
（Ａ０１）  リフレクター
（２０３）  光源
（２０２ａ）（２０２ｍ）（２０２ｎ）（２０２ｚ）  ストレート状光反射面
（３０３）（３０４）（３０６）  光線
（３０１）  広告看板
（Ｃ０１）  灯具
（４０１）  ダストカバー
（４０２）  反射表面
（Ａ０１）  リフレクター
（４０３）（４０４）  光源
（４０５）（４０６）  線
（Ａ０２）（Ａ０３）  リフレクター
（５０２）（５０３）（５０４）（５０５）  ストレート状光反射面区域
（５０１）（５０６）  中心線
（Ａ０４）  リフレクター
（６０２ａ）（６０２ｂ）（６０２ｃ）〜（６０２ｚ）（６０２ｍ）（６０２ｎ）  ストレート状光反射面
（６０１）  光源
（６０８）  延伸線
（６０３）（６０４）（６０５）（６０６）（６０７）  光線
（Ａ０５）  リフレクター
（７０２）  ストレート状光反射面
（７０１）  光源
（７０３）  フィン状突起物
（Ａ０６）（Ａ０７）  リフレクター
（８０１）  ストレート状光反射面
（８０２ａ）（８０２ｂ）  部材
（８０７）（８０８）  位置決め構成
（８０９）  ネジ
（８１０）  ナット
（Ｃ０２）  灯具
（Ａ０７）  リフレクター
（９０１ａ）（９０１ｂ）  側板
（９０２）（９０３）  ソケット
（９０４）  光源
（９０６）（９０７）  ネジ
（９０８）（９０９）  ナット
（９０５）  ブラケット
（９０５ａ）（９０５ｂ）  側辺
（Ａ０８）  リフレクター
（１００１ａ）（１００１ｂ）  部材
（１００２）（１００３）  クランプ
（Ｃ０３）  灯具
（１１０２）  ダストカバー
（Ａ０５）  リフレクター
（１１０３）  光源
（１１０１）  第二リフレクター
（Ｂ０１）  リフレクター
（１２０１）  底部
（１２０２ａ）（１２０２ｂ）  凸曲面
（１２０２ａａ）（１２０２ａｂ）（１２０２ａｃ）〜（１２０２ａｚ）（１２０２ｂａ）（１２０２ｂｂ）（１２０２ｂｃ）〜（１２０２ｂｚ）  曲面
（Ｂ０２）  リフレクター
（１３０１）  底部
（１３０３ａ）（１３０３ｂ）  凸曲面
（１３０１ｂ）  弧状光反射面
（１３０１ａ）  平面状光反射面
（Ｂ０３）（Ｂ０４）（Ｂ０５）  リフレクター
（１４０１ａ）（１４０１ｂ）  不規則な切欠き
（１４０２ａ）（１４０２ｂ）  Ｌ状切り目
（１４０３ａ）（１４０３ｂ）  斜めＶ状切り目
（Ａ０９）  リフレクター
（１５０１）（１５０２）  部材
（１５０４）（１５０５）（１５０６）（１５０７）  位置決め構成
（１５０９）（１５１０）  クランプ
（１５１１）  光源
（Ａ１０）（Ａ１１）  リフレクター
（１６０１）（１６０２）（１６０７）（１６０８）（１６０９）（１６１０）  凹部位置決め構成
（１６０３）（１６０４）（１６０５）（１６１１）（１６１２）  穿孔位置決め構成
（１６０６）  中空構成
【図１Ａ】
2016143667.tif 000003
【図１Ｂ】
2016143667.tif 000004
【図２Ａ】
2016143667.tif 000005
【図２Ｂ】
2016143667.tif 000006
【図３Ａ】
2016143667.tif 000007
【図３Ｂ】
2016143667.tif 000008
【図４Ａ】
2016143667.tif 000009
【図４Ｂ】
2016143667.tif 000010
【図５Ａ】
2016143667.tif 000011
【図５Ｂ】
2016143667.tif 000012
【図６Ａ】
2016143667.tif 000013
【図６Ｂ】
2016143667.tif 000014
【図７】
2016143667.tif 000015
【図８Ａ】
2016143667.tif 000016
【図８Ｂ】
2016143667.tif 000017
【図９Ａ】
2016143667.tif 000018
【図９Ｂ】
2016143667.tif 000019
【図１０Ａ】
2016143667.tif 000020
【図１０Ｂ】
2016143667.tif 000021
【図１１】
2016143667.tif 000022
【図１２Ａ】
2016143667.tif 000023
【図１２Ｂ】
2016143667.tif 000024
【図１３Ａ】
2016143667.tif 000025
【図１３Ｂ】
2016143667.tif 000026
【図１４Ａ】
2016143667.tif 000027
【図１４Ｂ】
2016143667.tif 000028
【図１４Ｃ】
2016143667.tif 000029
【図１５Ａ】
2016143667.tif 000030
【図１５Ｂ】
2016143667.tif 000031
【図１６Ａ】
2016143667.tif 000032
【図１６Ｂ】
2016143667.tif 000033